(57)【特許請求の範囲】
【請求項１】
放音孔が形成された筐体と、
前記筐体の内部に配置され音声を出力する複数の発音素子と、
一端側に前記発音素子のそれぞれに向けて開口する複数の第１開口部が形成されると共に他端側に前記放音孔に向けて開口する複数の第２開口部が形成され、一の前記第1開口部と一の前記第２開口部とを接続し、一の前記発音素子から出力される音声を前記放音孔側に導く第１ダクト、及び他の前記第１開口部と他の前記第２開口部とを接続し、他の前記発音素子から出力される音声を前記放音孔側に導く第２ダクトを備えるダクト部と、
前記第２開口部と前記放音孔との間に配置され前記ダクト部側に位置する受波面及び前記放音孔側に位置する送波面を有するカバー部材と、
前記ダクト部における前記第２開口部と前記カバー部材との間に形成される第１キャビティ部と、を備え、
前記第１ダクトと前記第２ダクトとは、一の部材に一体的に形成された複数の貫通穴からなり、
前記複数のダクトそれぞれの前記第２開口部は、前記受波面の略中心部に対向して配置される音響構造。
【請求項２】
前記複数のダクトそれぞれの前記第２開口部は同一平面に形成され、該第２開口部が形成される平面は前記受波面に対して略平行に配置される請求項１に記載の音響構造。
【請求項３】
放音孔が形成された筐体と、
前記筐体の内部に配置され音声を出力する複数の発音素子と、
一端側に前記発音素子のそれぞれに向けて開口する複数の第１開口部が形成されると共に他端側に前記放音孔に向けて開口する複数の第２開口部が形成され、一の前記第1開口部と一の前記第２開口部とを接続し、一の前記発音素子から出力される音声を前記放音孔側に導く第１ダクト、及び他の前記第１開口部と他の前記第２開口部とを接続し、他の前記発音素子から出力される音声を前記放音孔側に導く第２ダクトを備えるダクト部と、
前記第２開口部と前記放音孔との間に配置され前記ダクト部側に位置する受波面及び前記放音孔側に位置する送波面を有するカバー部材と、
前記ダクト部における前記第２開口部と前記カバー部材との間に形成される第１キャビティ部と、を備え、
前記第１ダクトと前記第２ダクトとは、一の部材に一体的に形成された複数の貫通穴からなり、
前記筐体は、前記カバー部材の前記受波面側に配置される内部筐体と、前記カバー部材の前記送波面側に配置され前記放音孔が形成される外部筐体と、を含んで構成され、
前記カバー部材は、該カバー部材における前記受波面の周縁部近傍と前記内部筐体とを接着する第１接着部材と、該カバー部材における前記送波面の周縁近傍と前記外部筐体とを接着する第２接着部材と、により前記筐体に固定される音響構造。
【請求項４】
前記筐体は、前記カバー部材の前記受波面側に配置される内部筐体と、前記カバー部材の前記送波面側に配置され前記放音孔が形成される外部筐体と、を含んで構成され、
前記カバー部材は、該カバー部材における前記受波面の周縁部近傍と前記内部筐体とを接着する第１接着部材と、該カバー部材における前記送波面の周縁近傍と前記外部筐体とを接着する第２接着部材と、により前記筐体に固定される請求項１又は２に記載の音響構造。
【請求項５】
前記第１接着部材における前記筐体の厚さ方向に沿う方向の長さは、前記第２接着部材の前記筐体の厚さ方向に沿う方向の長さよりも厚く構成される請求項３又は４に記載の音響構造。
【請求項６】
前記カバー部材は、薄膜状の樹脂又は微多孔性膜部材により構成される請求項１から５のいずれかに記載の音響構造。
【請求項７】
放音孔が形成された筐体と、
前記筐体の内部に配置され音声を出力する複数の発音素子と、
一端側に前記発音素子のそれぞれに向けて開口する複数の第１開口部が形成されると共に他端側に前記放音孔に向けて開口する複数の第２開口部が形成され、一の前記第１開口部と一の前記第２開口部とを接続し、一の前記発音素子から出力される音声を前記放音孔側に導く第１ダクト、及び、他の前記第１開口部と他の前記第２開口部とを接続し、他の前記発音素子から出力される音声を前記放音孔側に導く第２ダクトからなるダクト部と、
前記第２開口部と前記放音孔との間に配置され前記ダクト部側に位置する受波面及び前記放音孔側に位置する送波面を有する一のカバー部材と、
前記ダクト部における前記第２開口部と前記カバー部材との間に形成される第１キャビティ部と、を備え、
前記第２開口部のそれぞれの位置が、前記第１開口部のそれぞれの位置に比較して、前記カバー部材の中心に近い音響構造。
【請求項８】
請求項１から７のいずれかに記載の音響構造を具備する携帯端末。
【発明の詳細な説明】
【技術分野】
【０００１】
本発明は、防水性能を有する携帯端末等に適用される音響構造、及び該音響構造を具備する携帯端末に関する。
【背景技術】
【０００２】
従来、主として子どもや女性が携帯し、危険を察知した場合に発音素子を鳴らすことにより大音量を発生させ、周囲にいる人に注意を促す防犯ブザーが知られており、このような防犯ブザー機能を具備した携帯電話機も提案されている。
また、近年、防水性能を有する携帯電話機等の携帯端末が提案されている（例えば、特許文献１参照）。このような防水性能を有する携帯端末では、スピーカ等の音声出力部を、防水性を有すると共に音声出力部から出力される音声により振動可能なカバー部材により覆うことで、防水性を確保している。
【先行技術文献】
【特許文献】
【０００３】
【特許文献１】特開２００９−３０３２７９号公報
【発明の概要】
【発明が解決しようとする課題】
【０００４】
ところで、防犯ブザーは、周囲の人に注意を促すために、大音量を発生させることが必要である。そのため、防水性能を有する携帯端末に防犯ブザー機能を具備させる場合、カバー部材を振動させて大音量を外部に出力させるために、大型の発音素子を用いる必要がある。しかしながら、大型の発音素子を用いた場合、音響構造が大型化してしまい、この音響構造を携帯端末に適用する場合における発音素子の実装位置が制限されてしまう。また、携帯端末が大型化してしまう。
【０００５】
従って、本発明は、防水性能を有する携帯端末等に適用でき、外部に出力される音量を低下させずに小型化が可能な音響構造、及びこの音響構造を具備する携帯端末を提供することを目的とする。
【課題を解決するための手段】
【０００６】
本発明は、放音孔が形成された筐体と、前記筐体の内部に配置され音声を出力する複数の発音素子と、一端側に前記発音素子のそれぞれに向けて開口する複数の第１開口部が形成されると共に他端側に前記放音孔に向けて開口する複数の第２開口部が形成され、一の前記第1開口部と一の前記第２開口部とを接続し、一の前記発音素子から出力される音声を前記放音孔側に導く第１ダクト、及び他の前記第１開口部と他の前記第２開口部とを接続し、他の前記発音素子から出力される音声を前記放音孔側に導く第２ダクトを備えるダクト部と、前記第２開口部と前記放音孔との間に配置され前記ダクト部側に位置する受波面及び前記放音孔側に位置する送波面を有するカバー部材と、前記ダクト部における前記第２開口部と前記カバー部材との間に形成される第１キャビティ部と、を備え、前記第１ダクトと前記第２ダクトとは、一の部材に一体的に形成された複数の貫通穴からなる音響構造に関する。
【０００７】
また、前記複数のダクトそれぞれの前記第２開口部は、前記カバー部材の略中心部に対向して配置されることが好ましい。
【０００８】
また、前記複数のダクトそれぞれの前記第２開口部は同一平面に形成され、該第２開口部が形成される平面は前記受波面に対して略平行に配置されることが好ましい。
【０００９】
また、前記筐体は、前記カバー部材の前記受波面側に配置される内部筐体と、前記カバー部材の前記送波面側に配置され前記放音孔が形成される外部筐体と、を含んで構成され、前記カバー部材は、該カバー部材における前記受波面の周縁部近傍と前記内部筐体とを接着する第１接着部材と、該カバー部材における前記送波面の周縁近傍と前記外部筐体とを接着する第２接着部材と、により前記筐体に固定されることが好ましい。
【００１０】
また、前記第１接着部材における前記筐体の厚さ方向に沿う方向の長さは、前記第２接着部材の前記筐体の厚さ方向に沿う方向の長さよりも厚く構成されることが好ましい。
【００１１】
また、本発明は、音波を発生させる複数の発音素子と、前記複数の発音素子それぞれから発生される音波を受波して振動するカバー部材と、前記複数の発音素子それぞれから発生される音波を、前記カバー部材側に導く複数のダクト部と、前記カバー部材と複数のダクト部との間に形成される第１キャビティ部と、を備える音響構造に関する。
【００１２】
また、前記カバー部材は、薄膜状の樹脂又は微多孔性膜部材により構成されることが好ましい。
【００１３】
本発明は、放音孔が形成された筐体と、前記筐体の内部に配置され音声を出力する複数の発音素子と一端側に前記発音素子のそれぞれに向けて開口する複数の第１開口部が形成されると共に他端側に前記放音孔に向けて開口する複数の第２開口部が形成され、一の前記第１開口部と一の前記第２開口部とを接続し、一の前記発音素子から出力される音声を前記放音孔側に導く第１ダクト、及び、他の前記第１開口部と他の前記第２開口部とを接続し、他の前記発音素子から出力される音声を前記放音孔側に導く第２ダクトからなるダクト部と、前記第２開口部と前記放音孔との間に配置され前記ダクト部側に位置する受波面及び前記放音孔側に位置する送波面を有する一のカバー部材と、前記ダクト部における前記第２開口部と前記カバー部材との間に形成される第１キャビティ部と、を備え、前記第１開口部間の距離と比較して、前記第２開口部間の距離は短い音響構造に関する。
本発明は、放音孔が形成された筐体と、前記筐体の内部に配置され音声を出力する複数の発音素子と、一端側に前記発音素子のそれぞれに向けて開口する複数の第１開口部が形成されると共に他端側に前記放音孔に向けて開口する複数の第２開口部が形成され、一の前記第１開口部と一の前記第２開口部とを接続し、一の前記発音素子から出力される音声を前記放音孔側に導く第１ダクト、及び、他の前記第１開口部と他の前記第２開口部とを接続し、他の前記発音素子から出力される音声を前記放音孔側に導く第２ダクトからなるダクト部と、前記第２開口部と前記放音孔との間に配置され前記ダクト部側に位置する受波面及び前記放音孔側に位置する送波面を有する一のカバー部材と、前記ダクト部における前記第２開口部と前記カバー部材との間に形成される第１キャビティ部と、を備え、前記第２開口部のそれぞれの位置が、前記第１開口部のそれぞれの位置に比較して、前記カバー部材の中心に近い音響構造に関する。
また、本発明は、上述したいずれかの音響構造を具備する携帯端末に関する。
【発明の効果】
【００１４】
本発明によれば、防水性能を有する携帯端末等に適用でき、外部に出力される音量を低下させずに小型化が可能な音響構造、及びこの音響構造を具備する携帯端末を提供できる。
【図面の簡単な説明】
【００１５】
【図１】本発明の音響構造を具備する携帯端末の一実施形態に係る携帯電話機を前面側から視た図である。
【図２】図１に示す携帯電話機を裏面側から視た図である。
【図３】図１に示す携帯電話機を構成する筐体の分解斜視図であり、筐体を背面側から視た状態を示す図である。
【図４】携帯電話機を裏面側から視た図であり、バッテリカバー及びリアパネルを外した状態を示す図である。
【図５】図２のＸ−Ｘ線断面図である。
【図６】図５の部分拡大図であり、カバー部材が筐体に固定された状態を示す断面図である。
【図７Ａ】複数の第２開口部の配置の変形例を示す図である。
【図７Ｂ】複数の第２開口部の配置の変形例を示す図である。
【発明を実施するための形態】
【００１６】
以下、本発明の音響構造１００及び携帯端末の好ましい一実施形態について、図面を参照しながら説明する。まず、本発明の音響構造１００を具備する携帯端末の一実施形態としての携帯電話機１について、図１〜図４を参照しながら説明する。
【００１７】
本実施形態の携帯電話機１は、図１及び図２に示すように、ストレートタイプの携帯電話機１であり、その外形は、筐体２と、この筐体２に挿脱可能に取り付けられた挿脱部材３と、この挿脱部材３に連結されたストラップ４と、を主体として構成されている。この携帯電話機１は、通話機能に加えて防犯ブザー機能を有している。防犯ブザー機能とは、ユーザが危険を察知した場合に携帯電話機１に所定の操作を施すことで大音量を発生させて、周囲にいる人に注意を促す機能である。また、携帯電話機１は、筐体２を含んで構成される音響構造１００（図５参照）を備えており、防犯ブザー機能が動作した場合には、この音響構造１００により大音量を発生させる。
【００１８】
筐体２は、図１及び図２に示すように、略直方体形状を有している。この筐体２は、図３に示すように、カバーパネル２１と、フロントケース２２と、内部筐体としてのリアケース２３と、外部筐体としてのリアパネル２４と、バッテリカバー２５と、を主体として構成される。
【００１９】
筐体２の前面２ａは、カバーパネル２１及びフロントケース２２を主体として構成されている。この筐体２の前面２ａには、表示部３０及び操作部４０が設けられている。
表示部３０は、フロントケース２２に設けられた開口２２１に各種情報を表示させる液晶モジュール（図示せず）が配置されて構成される。
操作部４０は、フロントケース２２の外面に複数の操作キー４１ａが露出されて構成される。複数の操作キー４１ａそれぞれには、所定の機能が割り当てられる（キー・アサイン）。携帯電話機１は、複数の操作キー４１ａが使用者により押圧されることで、これら複数の操作キー４１ａそれぞれに割り当てられている機能に応じた動作が実行される。操作部４０は、筐体２の長手方向における一方の端部である下端部側に形成される。
カバーパネル２１は、透明部材により構成され、フロントケース２２の外面側に、液晶モジュールが配置された開口２２１を覆うように配置される。これにより、開口２２１に配置された液晶モジュールは、カバーパネル２１を介して筐体２の前面２ａに露出する。
【００２０】
また、筐体２の前面２ａには、携帯電話機１の使用時に通話の相手方の音声が出力される音声出力部２６が形成される。音声出力部２６は、筐体２の長手方向における他方の端部である上端部側に形成される。
【００２１】
筐体２の背面２ｂは、図２及び図３に示すように、リアケース２３、リアパネル２４及びバッテリカバー２５を主体として構成されている。
リアケース２３には、第１凹部２３１及び第２凹部２３２が設けられている。第１凹部２３１及び第２凹部２３２は、リアケース２３の外面が凹んで形成される。
【００２２】
第１凹部２３１は、図３及び図４に示すように、平面視で矩形形状を有しており、リアケース２３の長手方向の略中央部に形成される。この第１凹部２３１には、携帯電話機１を動作させる電源となるバッテリ（図示せず）が収容される。
第２凹部２３２は、リアケース２３の長手方向の一端（上端）側におけるリアケース２３の幅方向の略中央部に形成され、平面視で略円形状を有している。この第２凹部２３２には、後述するカバー部材１３０が第２凹部２３２を覆うように取り付けられる。また、第２凹部２３２の底面は、平面状に形成される。この第２凹部２３２の底面には、後述するダクト部１２０の第２開口部１２２が形成される。
【００２３】
リアパネル２４は、リアケース２３の外面側にリアケース２３を覆うように取り付けられる。このリアパネル２４には、第１凹部２３１の平面形状と略同形に形成された開口２４１と、複数の放音孔２４２と、が設けられる。開口２４１は、リアケース２３の外面側にリアパネル２４を取り付けた状態で、第１凹部２３１と筐体２の厚さ方向に重なり合う位置に配置される。複数の放音孔２４２は、リアケース２３の外面側にリアパネル２４を取り付けた状態で、第２凹部２３２と筐体２の厚さ方向に重なり合う位置に配置される（図５参照）。
バッテリカバー２５は、リアパネル２４の外面側に、第１凹部２３１及び開口２４１を覆うように配置される。
【００２４】
フロントケース２２及びリアケース２３は、図３に示すように、それぞれ、内面が凹状に形成されている。そして、フロントケース２２とリアケース２３とは、互いの凹状の内側面が向き合うように配置され、互いの外周縁が重なり合うようにして結合される。
フロントケース２２とリアケース２３との間には、携帯電話機１の種々の機能を発揮させる複数の電子部品が実装された回路基板（図示せず）及び後述する複数の発音素子１１０（図５参照）等が収容される。なお、発音素子１１０とは、音を発する素子であって、鳴動素子やスピーカ等を含む概念である。
【００２５】
挿脱部材３は、図１及び図２に示すように、筐体２の長手方向の一端（上端）側に位置する側面に設けられる。
ストラップ４は、基端側が挿脱部材３に連結されるひも状部材４１と、このひも状部材４１の先端側に連結される把持部材４２と、を備える。
挿脱部材３は、ストラップ４の把持部材４２を把持して引っ張ることにより、筐体２から引き抜かれる。
【００２６】
次に、携帯電話機１における音響構造１００につき説明する。図５は、図２のＸ−Ｘ断面図である。図６は、図５の部分拡大図であり、カバー部材１３０が筐体２に固定された状態を示す断面図である。
【００２７】
本実施形態の音響構造１００は、図５及び図６に示すように、内部筐体としてのリアケース２３と、複数の放音孔２４２が形成された外部筐体としてのリアパネル２４と、２つの発音素子１１０と、２つのダクト部１２０と、ダクト部１２０とリアパネル２４との間に配置されるカバー部材１３０と、ダクト部１２０とカバー部材１３０との間に形成される空間である第１キャビティ部１４０と、カバー部材１３０とリアパネル２４との間に形成される空間である第２キャビティ部１５０と、カバー部材１３０とリアケース２３とを接着する第１接着部材１６０と、カバー部材１３０とリアパネル２４とを接着する第２接着部材１７０と、を含んで構成される。
【００２８】
複数の放音孔２４２は、上述したように、リアパネル２４におけるリアケース２３の第２凹部２３２と筐体２の厚さ方向に重なり合う位置に設けられる。
２つの発音素子１１０は、それぞれ、所定の面に形成される音声出力部１１１を有し、この音声出力部１１１から音波としての音声を出力する。これら２つの発音素子１１０は、図４及び図５に示すように、フロントケース２２とリアケース２３との間における第２凹部２３２が形成された部分の近傍にそれぞれ配置される。これらの発音素子１１０は、回路基板（図示せず）を介してバッテリ（図示せず）に電気的に接続されており、バッテリからの電力の供給を受けることで音声を出力する。また、バッテリと発音素子１１０との電気的な接続は、上述の挿脱部材３の筐体２への挿入により切断される。そして、挿脱部材３の筐体２からの抜き取りにより電気的な接続の切断が解除される。
【００２９】
ダクト部１２０は、２つの発音素子１１０それぞれに対応して２つ設けられ、発音素子１１０から出力される音声を伝達させる音声伝達路として機能する。ダクト部１２０は、一端側に形成された第１開口部１２１と、他端側に形成された第２開口部１２２とを備える。第１開口部１２１は、発音素子１１０に近接して配置され、音声出力部１１１に向かって開口している。第２開口部１２２は、リアケース２３の第２凹部２３２の底面に設けられる。より具体的には、２つのダクト部１２０の２つの第２開口部１２２は、第２凹部２３２の略中央部に、互いに近接して配置される。ここで、第２凹部２３２の底面は、平面状に形成されており、かつ、底面の面方向は、筐体２の厚さ方向に略垂直に形成されている。これにより、２つの第２開口部１２２は、筐体２の厚さ方向に向けて開口することとなる。その結果、発音素子１１０から出力された音声は、ダクト部１２０により放音孔２４２側に導かれる。
【００３０】
本実施形態では、２つのダクト部１２０は、リアケース２３に一体的に形成された貫通穴により構成されている。また、２つのダクト部１２０の長さは、互いに略等しく構成されている。また、発音素子１１０は、音声出力部１１１の周囲に配置されたスポンジ１１２を介してリアケース２３の内面に固定されている。
【００３１】
カバー部材１３０は、ダクト部１２０における第２開口部１２２と放音孔２４２との間に配置される。より具体的には、カバー部材１３０は、リアケース２３の第２凹部２３２を覆うように、かつ、第２凹部２３２の底面と略平行に配置される。このカバー部材１３０は、ダクト部１２０側に位置する受波面１３１と、放音孔２４２側に位置する送波面１３２と、を有する。ここで、上述のように、２つの第２開口部１２２は、第２凹部２３２の底面の略中央部に設けられており、カバー部材１３０は、第２凹部２３２を覆うように配置されている。つまり、２つの第２開口部１２２は、受波面１３１の略中心部に対向して配置されている。
カバー部材１３０は、液不透過性の部材により構成することが好ましい。液不透過性の部材としては、薄膜状の樹脂部材や、気体を通過させるが液体を通過させない性質を有する微多孔性膜部材が挙げられる。
【００３２】
第１接着部材１６０は、図６に示すように、防水性を有する両面テープ１６１、ポリエチレンテレフタレートにより構成されたシート部材１６２、及び両面テープ１６３が積層されて構成されている。この第１接着部材１６０は、両面テープ１６３の一方の面がカバー部材１３０の受波面１３１の周縁部に接着され、両面テープ１６１の一方の面がリアケース２３の第２凹部２３２の底面に接着される。
第２接着部材１７０は、図６に示すように、防水性を有する両面テープ１７１、ポリエチレンテレフタレートにより構成されたシート部材１７２、及び両面テープ１７３が積層されて構成されている。この第２接着部材１７０は、両面テープ１７１の一方の面がカバー部材１３０の送波面１３２の周縁部に接着され、両面テープ１７３の一方の面がリアパネル２４の内面に接着される。
【００３３】
以上のように、カバー部材１３０は、周縁部のみにおいて第１接着部材１６０及び第２接着部材１７０を介してリアケース２３及びリアパネル２４に固定されている。これにより、カバー部材１３０は、ダクト部１２０の第２開口部１２２から出力された音声を受波面１３１側で受波した場合に振動可能となっている。
【００３４】
本実施形態では、図６に示すように、第１接着部材１６０の厚さ（筐体の厚さ方向に沿う方向の長さ）Ｌ１は、第２接着部材１７０の厚さＬ２よりも厚く構成される。
【００３５】
第１キャビティ部１４０は、リアケース２３の外面と、カバー部材１３０の受波面１３１と、第１接着部材１６０とにより囲まれた空間である。
第２キャビティ部は、カバー部材１３０の送波面１３２と、リアパネル２４の内面と、第２接着部材１７０とにより囲まれた空間である。
【００３６】
上述のように、第１接着部材１６０の厚さＬ１は、第２接着部材１７０の厚さＬ２よりも厚く構成されているため、第１キャビティ部１４０の容積は、第２キャビティ部１５０の容積よりも大きくなっている。
また、本実施形態では、カバー部材１３０は、液不透過性の部材により構成されており、第１接着部材１６０も防水性を有する両面テープにより構成されている。そのため、筐体２の外部から複数の放音孔２４２を通って第２キャビティ部１５０に浸入してきた水等の液体は、カバー部材１３０及び第１接着部材１６０により、第１キャビティ部１４０への浸入が防止される。
【００３７】
次に、本実施形態の携帯電話機１における防犯ブザー機能の動作について説明する。
携帯電話機１の通常状態では、筐体２に挿脱部材（図示せず）が挿入されている。この状態では、２つの発音素子１１０とバッテリとの間の電気的な接続は遮断されている。この状態で挿脱部材を筐体２から抜き取ると、２つの発音素子１１０とバッテリとの間の電気的な接続の遮断が解除されて、バッテリから２つの発音素子１１０に電気が供給され２つの発音素子１１０は、同期して（同時に）音を発する。すると、２つの発音素子１１０から出力される音声は、それぞれ第１開口部１２１からダクト部１２０の内部を通って第２開口部１２２に向けて同時に伝達される。
【００３８】
ここで、２つのダクト部１２０の長さは、互いに略等しく構成されているので、同期して音を発した２つの発音素子１１０から出力された音声は、第２開口部１２２からカバー部材１３０の受波面１３１に向けて同時に出力される。すると、２つの第２開口部１２２から出力された音声がカバー部材１３０に同時に伝達されることで、カバー部材１３０は大きく振動する。このように、カバー部材１３０が第２開口部１２２から出力された音声により振動されることで、カバー部材１３０の送波面１３２から出力される音声の減衰が低減される。これにより、２つの発音素子１１０から出力された音声は、効率的に外部に出力される。
【００３９】
以上説明した本実施形態の音響構造１００及びこの音響構造１００を有する携帯電話機１によれば、以下のような効果を奏する。
【００４０】
筐体２の内部に２つの発音素子１１０を配置すると共に、これら２つの発音素子１１０それぞれから出力される音声を放音孔２４２側に導く２つのダクト部１２０を設けた。これにより、２つの発音素子１１０を離間させて配置した場合においても２つの発音素子１１０から出力される音声を、ダクト部１２０と放音孔２４２との間に配置されたカバー部材１３０に向けて集中的に出力できる。よって、カバー部材１３０を配置して音響構造１００に防水性能を具備させた場合においても、出力される音量の低下を低減できる。また、２つの発音素子１１０を含んで音響構造１００を構成することで、２つの発音素子１１０それぞれを小型化できるので、音響構造１００を小型化できる。その結果、この音響構造１００を具備する携帯電話機１を小型化できる。
また、２つのダクト部１２０により２つの発音素子１１０から出力される音声を所定の位置に導けるので、発音素子１１０の配置の自由度を向上できる。
【００４１】
また、２つの第２開口部１２２を、カバー部材１３０の受波面１３１の略中心部に対向するように配置した。これにより、２つの第２開口部１２２から出力される音声を、カバー部材１３０の振動が最も大きく得られる受波面１３１の略中心部に伝えられるので、より大音量で音声を出力できる。
【００４２】
また、２つの第２開口部１２２を同一平面である第２凹部２３２の底面に形成し、この底面を受波面１３１に対して略平行に配置した。これにより、２つの第２開口部１２２が受波面１３１に向かって開口するので、２つの第２開口部１２２から出力される音声のカバー部材１３０への伝達効率を向上できる。また、２つの第２開口部１２２が互いに向き合わないので、２つの発音素子１１０から発生される音声が互いに打ち消しあうことを防止できると共に、２つのダクト部１２０のうちの一方のダクト部１２０を伝達されてきた音声が他方のダクト部１２０に伝わることを防止できる。よって、より大音量で音声を出力できる。
【００４３】
また、受波面１３１とリアケース２３とを第１接着部材１６０で接着し、送波面１３２とリアパネル２４とを第２接着部材１７０で接着してカバー部材１３０を筐体２に固定した。これにより、リアケース２３とカバー部材１３０の受波面１３１との間に第１キャビティ部１４０を形成できると共に、カバー部材１３０の送波面１３２とリアパネル２４との間に第２キャビティ部１５０を形成できる。よって、第１キャビティ部１４０によりダクト部１２０から出力された音声を好適にカバー部材１３０に伝達できると共に、第２キャビティ部１５０により、振動するカバー部材１３０とリアパネル２４との接触を防止できるので、外部に出力される音量の低下を防げる。
【００４４】
また、第１接着部材１６０の厚さＬ１を第２接着部材１７０の厚さＬ２よりも厚く構成した。よって、第１キャビティ部１４０の容積をより大きく確保できるので、ダクト部１２０から出力された音声のカバー部材１３０への伝達効率を向上できる。
【００４５】
以上、本発明の一実施形態について説明したが、本発明は上述した実施形態に制限されることなく種々の形態で実施することができる。
例えば、本実施形態では、２つの第２開口部１２２を第２凹部２３２の底面の略中央部に配置したが、これに限らない。即ち、２つの第２開口部１２２ａを、図７Ａに示すように、第２凹部２３２の底面の一方側に偏らせて配置してもよく、図７Ｂに示すように、２つの開口部１２２ｂの間隔を離間させて配置してもよい。尚、カバー部材１３０に好適に音声を伝達させる観点から、２つの第２開口部は、第２凹部２３２の中心に対して対称に配置することが好ましい。
【００４６】
また、本実施形態では、音響構造１００を、２つの発音素子１１０を含んで構成したが、これに限らない。即ち、音響構造を３つ又は４対以上の発音素子を含んで構成してもよい。
【００４７】
また、本実施形態では、リアケース２３により２つのダクト部１２０を構成したが、これに限らない。即ち、２つの発音素子を樹脂部材により構成されるハウジング内に収容し、このハウジングにより２つのダクト部を構成してもよい。
【００４８】
また、本実施形態では、音響構造１００を携帯電話機１に具備させたが、これに限らない。即ち、音響構造を防犯ブザー単体に適用してもよい。
【００４９】
また、本発明の音響構造１００は、携帯電話機１以外の携帯端末に適用できる。
携帯電話機以外の携帯端末としては、例えば、ＰＨＳ（登録商標：Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ノートパソコンが挙げられる。
【符号の説明】
【００５０】
１  携帯電話機（携帯端末）
２  筐体
２３  リアケース（内部筐体）
２４  リアパネル（外部筐体）
１００  音響構造
１１０  発音素子（鳴動素子、スピーカ）
１２０  ダクト部
１２１  第１開口部
１２２  第２開口部
１３０  カバー部材
１３１  受波面
１３２  送波面
１４０  第１キャビティ部
１５０  第２キャビティ部
１６０  第１接着部材
１７０  第２接着部材
２４２  放音孔
【図１】
0005591548.tif 000002
【図２】
0005591548.tif 000003
【図３】
0005591548.tif 000004
【図４】
0005591548.tif 000005
【図５】
0005591548.tif 000006
【図６】
0005591548.tif 000007
【図７Ａ】
0005591548.tif 000008
【図７Ｂ】
0005591548.tif 000009